(57)【特許請求の範囲】
【請求項１】
水槽のレバー設置孔に装着され、大小便に対応する洗浄水を排出するように左右に回転しながら重力式サイフォン蓋を持ち上げる調節レバーと、
前記調節レバーとオーバーフロー管の回転軸に回転可能に装着された前記重力式サイフォン蓋とを連結する引き紐と、
前記引き紐の端部に装着され、小便に対応する洗浄水を排出する場合には前記重力式サイフォン蓋の設置溝に装着されたリンクを押圧せず、大便に対応する洗浄水を排出する場合には前記調節レバーの回転方向によって前記重力式サイフォン蓋の設置溝に装着された前記リンクを押圧するガイドと、
前記ガイドの押圧によって前記重力式サイフォン蓋の設置溝を中心に外側から内側に回転しながら前記重力式サイフォン蓋の昇降時に水錘を押圧する前記リンクと、
前記リンクの押圧でオーバーフロー管の回転軸を中心に回転しながら、オーバーフロー管の回転軸を中心に回転する前記重力式サイフォン蓋を、水槽に湛水された洗浄水が排出されるまで支持する前記水錘と、
前記重力式サイフォン蓋がオーバーフロー管の排水孔を閉鎖する時、前記水錘がオーバーフロー管に密着するよう着脱可能に固定する密着固定部とを含んでなることを特徴とする、大小便に対応する洗浄水を排出する洗浄水排出装置。
【請求項２】
前記リンクは、
前記重力式サイフォン蓋の設置溝に回転するように装着されるロッド体と、
前記ロッド体の外周面に突設され、設置溝から前記ロッド体が離脱しないようにする離脱防止片と、
前記ロッド体の一端部から折曲されて前記ガイドが選択的に押圧するようにするロッド端部と、
前記ロッド体の他端部から折曲されて前記水錘を押圧する押圧具を含んでなることを特徴とする、請求項１に記載の大小便に対応する洗浄水を排出する洗浄水排出装置。
【請求項３】
前記ロッド体の外周面に突設され、自重によって前記ロッド体が回転しながら前記押圧具が前記水錘と垂直線上から離脱するようにするバラストをさらに含んでなることを特徴とする、請求項２に記載の大小便に対応する洗浄水を排出する洗浄水排出装置。
【請求項４】
前記水錘は、
前記オーバーフロー管の回転軸に回転可能に装着されながら水を貯水する空間が形成された錘本体と、
前記錘本体の下端部に突設され、前記重力式サイフォン蓋を支持する蓋支持突起と、
前記錘本体の上端部に突設され、前記リンクの押圧具が押圧するようにする段差部とを含んでなることを特徴とする、請求項１に記載の大小便に対応する洗浄水を排出する洗浄水排出装置。
【請求項５】
前記空間の底面に貫通し、貯水された水を排出する排出孔をさらに含んでなることを特徴とする、請求項４に記載の大小便に対応する洗浄水を排出する洗浄水排出装置。
【請求項６】
前記排出孔の開放面積を調節して、排出孔から排出される水の量を調節する排出量調節部をさらに含んでなることを特徴とする、請求項５に記載の大小便に対応する洗浄水を排出する洗浄水排出装置。
【請求項７】
前記排出量調節部は、
前記錘本体の底面に貫通した装着孔と、
前記装着孔に弾性突起が回転可能に装着され、排出孔の開放面積を調節する調節部材と、
回転した前記調節部材を支持する支持部とを含んでなることを特徴とする、請求項６に記載の大小便に対応する洗浄水を排出する洗浄水排出装置。
【請求項８】
前記弾性突起他側の前記調節部材の一側に突設され、排出孔を通して空間に位置して排出孔から排出される水の水圧によって前記調節部材の変形を防止するフックをさらに含んで備えられることを特徴とする、請求項７に記載の大小便に対応する洗浄水を排出する洗浄水排出装置。
【請求項９】
前記支持部は、
前記調節部材の外周面に突設された支持突起と、
前記支持突起が結合されるように前記錘本体の底面に一定の間隔で隔設された支持溝とを含んでなることを特徴とする、請求項７に記載の大小便に対応する洗浄水を排出する洗浄水排出装置。
【請求項１０】
前記密着固定部は、
前記オーバーフロー管に内蔵される密着固定部材と、
前記密着固定部材に対応して引力が発生するように前記水錘に内蔵される密着固定部材を含んでなることを特徴とする、請求項１に記載の大小便に対応する洗浄水を排出する洗浄水排出装置。
【発明の詳細な説明】
【技術分野】
【０００１】
本発明は、大小便に対応する洗浄水を排出する洗浄水排出装置に関し、より詳細には、水槽に湛水された洗浄水を排水させて用便を洗浄するように、上向き回転した重力式サイフォン蓋の開放時間を大小便に応じて水錘で選択的に調節して、大小便に対応する洗浄水をそれぞれ排出させることができるようにするだけでなく、大小便を問わず、上向き回転したサイフォン蓋の位置を同一にして、水槽の高さが低いロータンクにも適用できるのは勿論のこと、オーバーフロー管の排水孔への洗浄水の排水が速い洋式便器でも正常作動するようにする、大小便に対応する洗浄水を排出する洗浄水排出装置に関する。
【背景技術】
【０００２】
一般に、洋式便器は、一定量の洗浄水を水槽に湛水した状態で、用便者の用便後、水槽に湛水された洗浄水を排出させて、洋式便器内部に位置した用便者の用便を洗浄し、排出された洗浄水量だけ水道栓から洗浄水の供給を受けて湛水して次の動作を待つが、これは小便の洗浄時にも大便の洗浄時と同一の洗浄水を排出させるので、洗浄水の浪費によって経済性が低下する問題点があった。
【０００３】
前記問題点を解決するために、本件出願人は、韓国登録韓国特許公報第１０−１０７２５６５として登録された、大小便に対応する洗浄水量調節が可能な洋式便器の洗浄水排出装置を発明したことがある。
【０００４】
先登録された韓国特許は、調節レバーの正逆方向によって引き紐の引かれる距離を調節しながらサイフォン蓋の開放される回転角度を変えて、大小便に対応する洗浄水を排出する構成である。
【０００５】
しかし、先登録された韓国特許は、調節レバーとサイフォン蓋とを連結した引き紐の長さが正確に設置されない状態で調節レバーの回転により引き紐を引く時、サイフォン蓋に設置された弾性部材が回転制御突起を通過しながら小便の洗浄時にも大便の洗浄時と同一の洗浄水が排出されるので、使用者に対して製品に対する信頼性を失わせる問題点があった。
【０００６】
前記問題点を解決するために、本件出願人は、韓国登録韓国特許公報第１０−１０９７９７３号として登録された、調節レバーの作動によって大小便に対応する洗浄水を排出する洗浄水排出装置を発明したことがある。
【０００７】
先登録された韓国特許は、用便者の小便を洗浄する場合には、調節レバーの左側上向き回転によって浮具ガイドがリンクを押圧しない状態でサイフォン蓋を持ち上げるとき、サイフォン蓋の上向き回転を蓋フックが制御しながら小便を洗浄し、用便者の大便を洗浄する場合には、調節レバーの右側上向き回転によって浮具ガイドがリンクを押圧した状態でサイフォン蓋を持ち上げるとき、リンクが蓋フックを持ち上げてオーバーフロー管に密着するように回転させて大便を洗浄した。
【０００８】
しかし、先登録された韓国特許は、調節レバーの押圧で持ち上げられるサイフォン蓋の開放位置によってオーバーフロー管の排水孔へ排水される洗浄水量を調節して大小便に対応する洗浄水を排出したが、これは浮具を設置しなければならないので、水槽の高さが高いハイタンクのみに適用することができ、水槽の高さが低いロータンクには適用し難いという問題点があり、オーバーフロー管の排水孔へ排水される洗浄水の速度によってサイフォン蓋がオーバーフロー管の排水孔を速く閉鎖させるので、小便の洗浄が円滑でないという問題点があった。
【０００９】
また、部品数が多く構成が複雑であって組立が難しいだけでなく、作業能率が低下するのはもちろんのこと、作業時間が増加して生産性が節減して経済性が低下するという問題点があった。
【先行技術文献】
【特許文献】
【００１０】
【特許文献１】韓国登録韓国特許公報第１０−１０７２５６５公報
【特許文献２】韓国登録韓国特許公報第１０−１０９７９７３号公報
【発明の概要】
【発明が解決しようとする課題】
【００１１】
そこで、本発明は、上述した従来の諸般の問題点を勘案してなされたもので、その目的は、水槽に湛水された洗浄水を排水させて用便を洗浄するように、上向き回転した重力式サイフォン蓋の開放時間を大小便に応じて水錘で選択的に調節して、大小便に対応する洗浄水をそれぞれ排出させて用便を洗浄するようにする、大小便に対応する洗浄水を排出する洗浄水排出装置を提供することにある。
【００１２】
また、本発明の他の目的は、大小便を問わず、上向き回転したサイフォン蓋の位置を同一にして、水槽の高さが低いロータンクにも適用できるのは勿論のこと、オーバーフロー管の排水孔への洗浄水の排水が速い洋式便器でも正常作動するようにして製品の互換性を高めることができる、大小便に対応する洗浄水を排出する洗浄水排出装置を提供することにある。
【課題を解決するための手段】
【００１３】
本発明の大小便に対応する洗浄水を排出する洗浄水排出装置は、
水槽のレバー設置孔に装着され、大小便に対応する洗浄水を排出するように左右に回転しながら重力式サイフォン蓋を持ち上げる調節レバーと、
前記調節レバーとオーバーフロー管の回転軸に回転可能に装着された重力式サイフォン蓋とを連結する引き紐と、
前記引き紐の端部に装着され、小便に対応する洗浄水を排出する場合には重力式サイフォン蓋の設置溝に装着されたリンクを押圧せず、大便に対応する洗浄水を排出する場合には調節レバーの回転方向によって重力式サイフォン蓋の設置溝に装着されたリンクを押圧するガイドと、
前記ガイドの押圧によって重力式サイフォン蓋の設置溝を中心に外側から内側に回転しながら重力式サイフォン蓋の昇降時に水錘を押圧するリンクと、
前記リンクの押圧でオーバーフロー管の回転軸を中心に回転しながら、オーバーフロー管の回転軸を中心に回転する重力式サイフォン蓋を、水槽に湛水された洗浄水が排出されるまで支持する水錘とを含んでなることを特徴とする。
【発明の効果】
【００１４】
本発明によれば、水槽に湛水された洗浄水を排水させて用便を洗浄するように、上向き回転した重力式サイフォン蓋の開放時間を大小便に応じて水錘で選択的に調節して、大小便に対応する洗浄水をそれぞれ排出させて用便を洗浄することで、洗浄水の浪費を減らして経済性を向上させる利点を有することができる。
【００１５】
また、本発明によれば、大小便を問わず、上向き回転したサイフォン蓋の位置を同一にして、水槽の高さが低いロータンクにも適用できるのは勿論のこと、オーバーフロー管の排水孔への洗浄水の排水が速い洋式便器でも正常作動するようにして製品の互換性を高めることができるため、使用者に製品に対する信頼性を向上させる利点を有することができる。
【図面の簡単な説明】
【００１６】
【図１】本発明の斜視図である。
【図２】本発明の分離斜視図である。
【図３】本発明の排出量調節部の分離斜視図である。
【図４】本発明の設置状態図である。
【図５】本発明の作動状態図である。
【図６】本発明の作動状態図である。
【図７】本発明の作動状態図である。
【図８】本発明の作動状態図である。
【図９】本発明の作動状態図である。
【図１０】本発明の作動状態図である。
【図１１】本発明の作動状態図である。
【図１２】本発明の作動状態図である。
【図１３】本発明の作動状態図である。
【発明を実施するための形態】
【００１７】
以下、本発明を添付図面に基づいて詳細に説明する。図１は本発明の斜視図であり、図２は本発明の分離斜視図であり、図３は本発明の排出量調節部の分離斜視図である。
【００１８】
本発明の大小便に対応する洗浄水を排出する洗浄水排出装置１００は、水槽１０のレバー設置孔１１に装着され、大小便に対応する洗浄水を排出するように左右に回転しながら重力式サイフォン蓋１３０を持ち上げる調節レバー１１０と、前記調節レバー１１０とオーバーフロー管２０の回転軸２１に回転可能に装着された重力式サイフォン蓋１３０とを連結する引き紐１２０と、前記引き紐１２０端部に装着され、小便に対応する洗浄水を排出する場合には重力式サイフォン蓋１３０の設置溝１３１に装着されたリンク１５０を押圧せず、大便に対応する洗浄水を排出する場合には調節レバー１１０の回転方向によって重力式サイフォン蓋１３０の設置溝１３１に装着されたリンク１５０を押圧するガイド１４０と、前記ガイド１４０の押圧によって重力式サイフォン蓋１３０の設置溝１３１を中心に外側から内側に回転しながら重力式サイフォン蓋１３０の昇降時に水錘１６０を押圧するリンク１５０と、前記リンク１５０の押圧でオーバーフロー管２０の回転軸２１を中心に回転しながら、オーバーフロー管２０の回転軸２１を中心に回転する重力式サイフォン蓋１３０を水槽１０に湛水された洗浄水が排出されるまで支持する水錘１６０とを含んで構成されるものであり、これをさらに具体的に説明すると、次のとおりである。
【００１９】
前記リンク１５０は、前記重力式サイフォン蓋１３０の設置溝１３１に回転するように装着されるロッド体１５１と、前記ロッド体１５１外周面に突設され、設置溝１３１からロッド体１５１が離脱しないようにする離脱防止片１５２と、前記ロッド体１５１の一端部から折曲されてガイド１４０が選択的に押圧するようにするロッド端部１５３と、前記ロッド体１５１の他端部から折曲されて水錘１６０を押圧する押圧具１５４とを含んでなる。
【００２０】
前記ロッド体１５１の外周面に突設され、自重によってロッド体１５１が回転しながら前記押圧具１５４が水錘１６０と垂直線上から離脱するようにするバラスト１５５をさらに含んでなる。
【００２１】
前記水錘１６０は、前記オーバーフロー管２０の回転軸２１に回転可能に装着されながら、水を貯水する空間１６２が形成された錘本体１６１と、前記錘本体１６１の下端部に突設され、重力式サイフォン蓋１３０を支持する蓋支持突起１６３と、前記錘本体１６１の上端部に突設され、リンク１５０の押圧具１５４が押圧するようにする段差部１６４とを含んでなる。
【００２２】
前記空間１６２の底面に貫通し、貯水された水を排出する排出孔１６２’をさらに含んでなる。
【００２３】
前記排出孔１６２’の開放面積を調節して、排出孔１６２’に排出される水の量を調節する排出量調節部１６５をさらに含んでなる。
【００２４】
前記排出量調節部１６５は、前記錘本体１６１底面に貫通した装着孔１６５ａと、前記装着孔１６５ａに弾性突起１６５ｃが回転可能に装着され、排出孔１６２’の開放面積を調節する調節部材１６５ｂと、回転した調節部材１６５ｂを支持する支持部１６６を含んでなる。
【００２５】
前記弾性突起１６５ｃ他側の調節部材１６５ｂの一側に突設され、排出孔１６２’を通して空間１６２に位置して排出孔１６２’に排出される水の水圧によって調節部材１６５ｂの変形を防止するフック１６５ｂ’をさらに含んでなる。
【００２６】
前記支持部１６６は、前記調節部材１６５ｂ外周面に突設された支持突起１６６ａと、前記支持突起１６６ａが結合されるように錘本体１６１底面に一定の間隔で隔設された支持溝１６６ｂとを含んでなる。
【００２７】
前記重力式サイフォン蓋１３０がオーバーフロー管２０の排水孔２２を閉鎖する時、水錘１６０がオーバーフロー管２０に密着するように固定する密着固定部１７０をさらに含んで構成され、前記密着固定部１７０は、前記オーバーフロー管２０に内蔵される密着固定部材１７１と、前記密着固定部材１７１に対応して引力が発生するように水錘１６０に内蔵される密着固定部材１７２とを含んで構成される。
【００２８】
次に、前述のように構成された本発明の結合及び設置過程を説明する。
【００２９】
まず、リンク１５０のロッド体１５１を重力式サイフォン蓋１３０の設置溝１３１に装着するが、前記設置溝１３１外側のロッド体１５１には離脱防止片１５２が位置してロッド体１５１の設置溝１３１からの離脱を防止するのは勿論のこと、前記ロッド体１５１外周面に突設されたバラスト１５５の自重によってロッド体１５１が回転しながら離脱防止片１５２が重力式サイフォン蓋１３０上面に固着されながらロッド体１５１の回転を停止するようになる。
【００３０】
また、排出量調節部１６５の調節部材１６５ｂを錘本体１６１の底面に貫通した排出量調節部１６５の装着孔１６５ａに装着するとき、前記装着孔１６５ａに調節部材１６５ｂの弾性突起１６５ｃを結合して突出させると同時に、前記調節部材１６５ｂの一側に突設されたフック１６５ｂ’は排出孔１６２’を通して空間１６２に位置しながら空間１６２底面にフック１６５ｂ’端部が係止されるようにする。
【００３１】
前記排出量調節部１６５の装着孔１６５ａに弾性突起１６５ｃが装着された調節部材１６５ｂを所定の角度で回転させると、弾性突起１６５ｃを中心に調節部材１６５ｂが回転すると同時に、調節部材１６５ｂ外周面に突設された支持部１６６の支持突起１６６ａが錘本体１６１の底面に一定の間隔で隔設された多数の支持溝１６６ｂのうちいずれか一つの支持溝に結合される。
【００３２】
前記過程により、排出量調節部１６５が装着された錘本体１６１をオーバーフロー管２０上部に位置させた後、下向きに移動させながら、錘本体１６１に形成された回転溝１６１’に装着すると、前記オーバーフロー管２０と錘本体１６１はオーバーフロー管２０と錘本体１６１にそれぞれ内蔵された密着固定部１７０の密着固定部材１７１、１７２の引力が発生すると同時に、密着固定部材１７１、１７２の引力によって水錘１６０の錘本体１６１がオーバーフロー管２０に密着固定されるようにするが、前記密着固定部材１７１、１７２は磁石が好ましい。
【００３３】
前記水錘１６０がオーバーフロー管２０の回転軸２１に装着されると、前記リンク１５０が設置溝１３１に装着された重力式サイフォン蓋１３０の回転溝１３２がオーバーフロー管２０の回転軸２１に装着されるのは勿論のこと、重力式サイフォン蓋１３０の底面が水錘１６０の蓋支持突起１６３に固着されながら重力式サイフォン蓋１３０が排水孔２２を閉鎖するようにする。
【００３４】
そして、前記重力式サイフォン蓋１３０のリング１３０’にガイド１４０が装着された引き紐１２０の下端部を装着した状態で前記オーバーフロー管２０を水槽１０の設置孔１２に設置した後、引き紐１２０の上端部を水槽１０のレバー設置孔１１に装着された調節レバー１１０に設置しながら、図４に示されたように、本発明の洗浄水排出装置１００の設置が完了する。
【００３５】
ここで、前記水槽１０には、水道栓、および水道栓から洗浄水の供給及び供給を中断する通常のフィルバルブが設置されなければならない。
【００３６】
前記過程で本発明が設置された後、水道栓から洗浄水が水槽１０に供給されて貯水された状態で、用便者が便器本体（図示せず）に座って小便をした後、図５に示されたように、小便を洗浄するために調節レバー１１０を右側に回転させる。
【００３７】
この時、図６ないし図７に示されたように、前記調節レバー１１０の右側回転により引き紐１２０下端部に装着されたガイド１４０が右側に傾斜してガイド１４０がリンク１５０を押圧しない状態で引き紐１２０が右側上向きに引かれると同時に、引き紐１２０がリング１３０’に連結された重力式サイフォン蓋１３０はオーバーフロー管２０の回転軸２１を中心に上向き回転して持ち上げられることによってオーバーフロー管２０の排水孔２２を開放するようになる。
【００３８】
前記排水孔２２は前記重力式サイフォン蓋１３０が上向きに引かれる引き紐１２０の移動距離だけ回転軸２１を中心に上向き回転しながら開放され、開放された排水孔２２に水槽１０に貯水された洗浄水が便器本体（図示せず）に排水されながら小便を洗浄することができ、小便の洗浄が完了すると、図１３に示されたように、調節レバー１１０に加えられた押圧力が解除された重力式サイフォン蓋１３０はオーバーフロー管２０の回転軸２１を中心に自重で下向き回転しながらオーバーフロー管２０の排水孔２２を閉鎖させた後、排水孔２２に排水された小便の洗浄水量だけ水道栓から洗浄水の供給を受けて水槽に貯水し、便器本体に所定の洗浄水を貯水しながら次の動作を待つようになる。
【００３９】
ここで、前記ガイド１４０がリンク１５０のロッド体１５１の一端部から折曲されたロッド端部１５３を押圧しないことによって、ロッド体１５１の他端部から折曲された押圧具１５４が水錘１６０の段差部１６４と垂直線上をなすことができず、重力式サイフォン蓋１３０の上向き回転により水錘１６０を押圧することができないのは勿論のこと、前記水錘１６０は密着固定部１７０によってオーバーフロー管２０に密着固定された状態を維持するようになる。
【００４０】
また、用便者が便器本体（図示せず）に座って大便をした後、図８ないし図９に示されたように、大便を洗浄するために調節レバー１１０を左側に回転させる。
【００４１】
この時、前記調節レバー１１０の左側回転により引き紐１２０下端部に装着されたガイド１４０が左側に傾斜してガイド１４０底面がリンク１５０のロッド体１５１の一端部から折曲されたロッド端部１５３を押圧すると同時に、前記ロッド体１５１は設置溝１３１を中心に内側に回転してロッド体１５１の離脱防止片１５２の端部が重力式サイフォン蓋１３０の上面から離脱しながらロッド体１５１の他端部から折曲された押圧具１５４が水錘１６０の段差部１６４と垂直線上に位置するようにする。
【００４２】
ここで、前記ロッド体１５１のロッド端部１５３を押圧するガイド１４０の押圧力がバラスト１５５の重さより重いため、前記ロッド体１５１は設置溝１３１を中心に内側に回転するようになる。
【００４３】
前記調節レバー１１０の左側回転によりガイド１４０がリンク１５０を押圧した状態において、図１０に示されたように、引き紐１２０が左側上向きに引かれると同時に、引き紐１２０がリング１３０’に連結された重力式サイフォン蓋１３０はオーバーフロー管２０の回転軸２１を中心に上向き回転して持ち上げられることによってオーバーフロー管２０の排水孔２２を開放するようになる。
【００４４】
前記オーバーフロー管２０の回転軸２１を中心に上向きに重力式サイフォン蓋１３０が回転しながら重力式サイフォン蓋１３０の設置溝１３１に装着されたリンク１５０の押圧具１５４が水錘１６０の段差部１６４を押圧すると同時に、前記押圧具１５４の押圧力で前記水錘１６０はオーバーフロー管２０の回転軸２１を中心に下向き回転するようになる。
【００４５】
ここで、前記水錘１６０をオーバーフロー管２０に密着固定させる密着固定部１７０の密着固定部材１７１、１７２の引力よりも重力式サイフォン蓋１３０の上向き回転によるリンク１５０の押圧具１５４が大きいため、密着固定部材１７１、１７２が分離しながらオーバーフロー管２０の回転軸２１を中心に水錘１６０が下向き回転するようになる。
【００４６】
前記排水孔２２は前記重力式サイフォン蓋１３０が上向きに引かれる引き紐１２０の移動距離だけ回転軸２１を中心に上向き回転しながら開放され、開放された排水孔２２に水槽１０に貯水された洗浄水が便器本体（図示せず）に排水されながら大便を洗浄することができる。
【００４７】
前記排水孔２２に水槽１０の洗浄水が排水される時、図１１に示されたように、調節レバー１１０に加えられた押圧力が解除された重力式サイフォン蓋１３０は水錘１６０がオーバーフロー管２０の回転軸２１を中心に下向き回転しながら水錘１６０の蓋支持突起１６３が重力式サイフォン蓋１３０の底面を受けて支持しており、水錘１６０の錘本体１６１に形成された空間１６２に貯水された水が重力式サイフォン蓋１３０の重さもより重いため、重力式サイフォン蓋１３０の上向き回転した状態を維持するようになる。
【００４８】
前記排水孔２２に洗浄水が排水されながら水槽１０の洗浄水の水位が錘本体１６１よりも下部に位置すると、前記錘本体１６１の空間１６２に貯水された水は空間１６２の底面に貫通した排出孔１６２’に排出され、前記排出孔１６２’に排出される水の量を排出量調節部１６５で調節することができるが、前記排出量調節部１６５は、図１２に示されたように、錘本体１６１の装着孔１６５ａに弾性突起１６５ｃが結合された調節部材１６５ｂを弾性突起１６５ｃを中心に回転させながら、排出孔１６２’の開放面積を調節して排出孔１６２’に排出される水の量を調節することができる。
【００４９】
ここで、前記調節部材１６５ｂの弾性突起１６５ｃが装着孔１６５ａに結合されて突出しながら弾性突起１６５ｃ端部が空間１６２底面に密着した状態であり、前記調節部材１６５ｂ他側のフック１６５ｂ’が排出孔１６２’に結合されて突出しながら空間１６２底面に密着した状態であるため、調節部材１６５ｂの離脱を防止することができる。
【００５０】
前記排出孔１６２’の開放面積を調節した調節部材１６５ｂは弾性突起１６５ｃを中心に回転する時、調節部材１６５ｂの外周面に突設された支持部１６６の支持突起１６６ａが錘本体１６１の底面に一定の間隔で隔設された支持溝１６６ｂのうちいずれか一つの支持溝に結合されるので、調節部材１６５ｂが回転して排出孔１６２’の開放面積を調節した状態を維持することができ、前記排出孔１６２’は錘本体１６１の空間１６２に一つまたは二つ形成して使用することができる。
【００５１】
前記調節部材１６５ｂの回転で開放面積が調節された排出孔１６２’に排出される水の速度を調節して、重力式サイフォン蓋１３０と排水孔２２との間に位置する洗浄水まで排水孔２２に排水させて大便を洗浄することができるようにすることで、水槽１０内部の洗浄水を最大限活用することができる。
【００５２】
前記過程で大便の洗浄が完了しながら、前記排出孔１６２’に空間１６２に貯水された水に排出されて水錘１６０の重さが重力式サイフォン蓋１３０の重さよりも低下する場合、図１３に示されたように、重力式サイフォン蓋１３０は自重によってオーバーフロー管２０の回転軸２１を中心に下向き回転しながらオーバーフロー管２０の排水孔２２を閉鎖させる。
【００５３】
この時、前記重力式サイフォン蓋１３０の下向き回転によって重力式サイフォン蓋１３０の底面を蓋支持突起１６３が受けて支持する水錘１６０の錘本体１６１はオーバーフロー管２０の回転軸２１を中心に上向き回転しながらオーバーフロー管２０の外周面に密着すると同時に、オーバーフロー管２０と水錘１６０はオーバーフロー管２０と錘本体１６１に内蔵された密着固定部１７０の密着固定部材１７１、１７２の引力で密着固定される。
【００５４】
また、前記重力式サイフォン蓋１３０の設置溝１３１に装着されたリンク１５０はバラスト１５５の重さによって設置溝１３１を中心にロッド体１５１が外向き回転すると同時に、前記ロッド体１５１に突設された離脱防止片１５２が重力式サイフォン蓋１３０上面に密着しながらリンク１５０の回転を停止するようになり、排水孔２２に排水された大便の洗浄水量だけ水道栓から洗浄水の供給を受けて水槽に貯水し、便器本体に所定の洗浄水を貯水しながら次の動作を待つようになる。
【００５５】
以上のように、本発明は、限定された実施例と図面によって説明したが、本明細書及び請求の範囲に使用された用語や単語は通常辞書的な意味に限定されて解釈されてはならず、本発明の技術的思想に符合する意味と概念で解釈されなければならない。したがって、本明細書に記載された実施例と図面に示された構成は本発明の一実施例に過ぎず、本発明の技術的思想をすべて代弁するものではないので、本発明の請求の範囲を超えない限度内で多様な均等物と変形例があり得ることを理解しなければならない。
【符号の説明】
【００５６】
１００    洗浄水排出装置
１１０    調節レバー
１２０    引き紐
１３０    重力式サイフォン蓋
１４０    ガイド
１５０    リンク
１６０    水錘
１７０    密着固定部
【図１】
0006323516.tif 000002
【図２】
0006323516.tif 000003
【図３】
0006323516.tif 000004
【図４】
0006323516.tif 000005
【図５】
0006323516.tif 000006
【図６】
0006323516.tif 000007
【図７】
0006323516.tif 000008
【図８】
0006323516.tif 000009
【図９】
0006323516.tif 000010
【図１０】
0006323516.tif 000011
【図１１】
0006323516.tif 000012
【図１２】
0006323516.tif 000013
【図１３】
0006323516.tif 000014